(57)【要約】【課題】身近なもので、いつも置き忘れて探すもの、長期間使わないが必要なときに直に見つけ出さないとならないものなどを可能とした無線送受信装置を提供する。【解決手段】親機を１機として子機を数機とした無線の送受信器を対として、数個の選択スイッチとカードホルダを具備し、選択スイッチで異なる周波数を発信する周波数制御回路と数機の子機は、異なる周波数の無線受信器を内蔵し、それぞれに点滅ランプとブザーを具備する。また、数機の子機は、小型軽量で取り付けが容易な構造である。【選択図】              図１
2004159011.tif 000002
【特許請求の範囲】
【請求項１】
親機を１機として子機を数機とした無線の送受信器を対にすることを特徴とする無線送受信装置。
【請求項２】
上記親機は、数個の選択スイッチとカードホルダを具備することを特徴とする請求項１記載の無線送受信装置。
【請求項３】
上記親機は、選択スイッチで異なる周波数を発信する周波数制御回路を内蔵することを特徴とする請求項１記載の無線送受信装置。
【請求項４】
上記数機の子機は、異なる周波数の無線受信器を内蔵することを特徴とする請求項１記載の無線送受信装置。
【請求項５】
上記数機の子機は、それぞれに点滅ランプとブザーを具備することを特徴とする請求項１記載の無線送受信装置。
【請求項６】
上記数機の子機は、小型軽量で取り付けが容易な構造を特徴とする請求項１記載の無線送受信装置。
【発明の詳細な説明】
【０００１】
【発明の属する技術分野】
この発明は、無線の送信機と受信機に関し、詳しくは親機が１機で子機を数機使うようにすることができるようにした無線送受信装置に関する。
【０００２】
【従来の技術】
最近、家庭や事務所や工場においては、整理整頓の目的等のために整理棚やロッカーに収納することが求められている。ところで、従来、整理棚やロッカーは大型で木製や鋼板製が用いられており、また、身近な小間物は机や本箱や戸棚が用いられている。また、重要なデータや書類の保管には金庫が知られている。
【０００３】
【発明が解決しようとする課題】
しかし、従来の整理棚やロッカー等においては以下の問題点があった。（１）整理整頓をした人は何処に保管されているかは分かるがそれ以外の人は見つけることが困難なときがある。（２）整理をした場所を忘れて見つけることができなくなる。（３）奥にしまいこんで見つけられなくなる。（４）身近な棚や戸棚に置いて場所を忘れてしまう。（５）必要なときに見つけ出すのに長時間を必要とする。そこで、この発明は、身近なものや、いつも置き忘れて探すもの、長期間使わないが必要なときに直に見つけ出さないとならないものなどを可能とした無線送受信装置を提供することを目的とする。
【０００４】
【課題を解決するための手段】
上記目的を達成するため、請求項１記載の発明は、親機を１機として子機を数機とした無線の送受信器を対とすることを特徴とする。
また、請求項２記載の発明は、請求項１記載の発明において、上記親機は、数個の選択スイッチとカードホルダを具備することを特徴とする。
また、請求項３記載の発明は、請求項１記載の発明において、上記親機は、選択スイッチで異なる周波数を発信する周波数制御回路を内蔵することを特徴とする。
また、請求項４記載の発明は、請求項１記載の発明において、上記数機の子機は、異なる周波数の無線受信器を内蔵することを特徴とする。
また、請求項５記載の発明は、請求項１記載の発明において、上記数機の子機は、それぞれに点滅ランプとブザーを具備することを具備することを特徴とする。また、請求項６記載の発明は、請求項１記載の発明において、上記数機の子機は、小型軽量で取り付けが容易な構造を特徴とする。
【発明の実施形態】
以下、この発明に係わる無線送受信機の実施の形態を添付図面を参照して詳細に説明する。
図１は、この発明に係わる無線発信器の親機の実施形態を示す平面図である。
また、図２は図１と対で使用される、この発明に係わる無線受信器の子機の実施形態を示す平面図である。図３は、上記図１と図２の電気回路のブロック図である。図１において、この無線発信器の親機１は、数個のカードホルダ２と選択スイッチ３と固定金具４とから構成される。また、図２において、無線受信器の子機５は点滅ランプ６とブザー７とリセットスイッチ８とリンク１０とで構成され電池９が内蔵されている。子機５は図４に示す事例のような物品類に取り付けられる。親機１は見付け易い場所に常時固定する必要から固定金具４を具備している。親機１のカードホルダ２には、子機５が図４の物品類に取り付けた名称を記載する。
カードホルダ２と対になって同じ数量の選択スイッチ３が横に具備している。そこで図４の物品類がたとえ整理棚やロッカーの奥に隠れて見つけることが出来ないときでも、カードホルダ２で探す物品の名称を確認して対になった横の選択スイッチ３を押せば、子機５の点滅ランプ６とブザー７が報知して見つけることができる。子機５はリンク１０で図４の物品類に取り付けることができる。リンク１０を使わないときは裏面に両面テープで貼り付けることもできる。子機５は小型軽量にするために小型電池を内蔵し、親機１からの無線発信を受信したときだけ電池を消費する省電力構造になっている。図２は円形形状であるが角型形状でも構わない。そこで無線の送信と受信の仕組みを解説する。カードホルダ２と対の選択スイッチ３を押すと周波数制御回路１１によって特定の周波数が選択されて増幅器１２によって増幅されて無線発信器１３を経てアンテナＡ１４から発信される。発信された周波数は数機の子機５でアンテナＢ１７を経て無線受信機１７で受信される。受信された周波数は予め設定された周波数だけを認識する周波数認識回路１６で認識される。数機の子機５は全てそれぞれの特定の周波数にだけ認識するように予め設定されている。認識されるとリレー回路１０によって点滅ランプ６とブザー７で報知する。点滅ランプ６とブザー７はリセットスイッチ８によって報知停止と次の報知に備える。電源については、親機１の電源装置１５はＡＣ１００又は乾電池の両方が使用できる。子機５の電池９は小型の電池を使用する。
【０００５】
【実施例】
図４は鍵に子機５を取り付けた実施例である。
図５は印鑑に子機５を取り付けた実施例である。
図６はディスクに子機５を取り付けた実施例である。
図７は財布に子機５を取り付けた実施例である。
図８はテレビリモコンに子機５を取り付けた実施例である。
図９は薬ケースに子機５を取り付けた実施例である。
【０００６】
【発明の効果】
以上説明したようにこの発明の無線送受信機によれば、親機を１機として子機を数機とした無線の送受信器を対にして、親機は数個の選択スイッチとカードホルダを具備して構成し、選択スイッチで異なる周波数を発信する周波数制御回路を内蔵する。また子機は、異なる周波数の無線受信器を内蔵してそれぞれに点滅ランプとブザーで構成し小型軽量で取り付けが容易な構造にしたので、整理整頓をした人以外の人でも容易に見つけることができる。また、置いた場所を忘れても容易に分かるし、奥にしまいこんで見つけられる。身近な棚や戸棚に置いて場所を忘れてしまう心配や必要なときに見つけ出すのに長時間を必要とすることもなくなる。また緊急医療の薬などを直に見つけ出せることは人命の救助にも役に立つなど資することができるという効果を奏する。
【図面の簡単な説明】
【図１】この発明に係わるこの発明に係わる無線発信器の親機の実施形態を示す平面図である。
【図２】図１と対で使用される、この発明に係わる無線受信器の子機の実施形態を示す平面図である。
【図３】図１と図２の電気回路のブロック図である。
【図４】この発明の実施事例の鍵に付帯した図である。
【図５】この発明の実施事例の印鑑に付帯した図である。
【図６】この発明の実施事例のディスクに付帯した図である。
【図７】この発明の実施事例の財布に付帯した図である。
【図８】この発明の実施事例のテレビリモコンに付帯した図である。
【図９】この発明の実施事例の薬ケースに付帯した図である。
【符号の説明】
１親機
２カードホルダ
３選択スイッチ
４固定金具
５子機
６点滅ランプ
７ブザー
８リセットスイッチ
９電池
１０リンク
１１周波数制御回路
１２増幅器
１３無線発信器
１４アンテナＡ
１５電源装置
１６周波数認識回路
１７無線受信機
１８アンテナＢ
【図１】
2004159011.tif 000003
【図２】
2004159011.tif 000004
【図３】
2004159011.tif 000005
【図４】
2004159011.tif 000006
【図５】
2004159011.tif 000007
【図６】
2004159011.tif 000008
【図７】
2004159011.tif 000009
【図８】
2004159011.tif 000010
【図９】
2004159011.tif 000011